(57)【特許請求の範囲】
【請求項１】
短縮ダイヤル発呼機能を備えた通信端末装置において、
短縮ダイヤルの登録時に、短縮ダイヤルと発呼先番号とともに、当該短縮ダイヤル毎のパスワードを登録させる短縮ダイヤル情報記憶手段と、
相手先発呼のため、短縮ダイヤルの入力後、発呼指令がなされたときに、パスワードの入力を要求し、かつ入力されたパスワードが、その短縮ダイヤルに対応して登録したパスワードと一致したときのみ、短縮ダイヤルに対応させて前記短縮ダイヤル情報記憶手段に記憶されている発呼先番号を読出して、所定の発呼動作を行う一方、
相手先発呼のため、短縮ダイヤルの入力以外のテンキーダイヤルの入力またはリダイヤルの入力がなされたときには、当該相手先への発呼動作を禁止する制御手段とを備えたことを特徴とする通信端末装置。
【請求項２】
請求項１において、
発呼動作の前に発呼先番号を表示する表示部を更に備え、
前記制御手段は、前記パスワードの入力を要求し、一致した場合には、前記表示部に、発呼すべき発呼先番号を表示してから、所定時間の間は、発呼指令を待ち、再度の発呼指令を受け付けたときに、発呼動作を行うようにしていることを特徴とする通信端末装置。
【請求項３】
請求項１または２において、
前記短縮ダイヤルの登録時に、ユーザＩＤまたはパスワードによる認証を行う認証手段を更に備えていることを特徴とする通信端末装置。
【発明の詳細な説明】
【技術分野】
【０００１】
本発明は、短縮ダイヤル発呼機能を備えた通信端末装置に関し、詳しくは、ユーザが短縮ダイヤル発呼を行う際に、誤送信を防止する通信端末装置に関するものである。
【背景技術】
【０００２】
従来の通信端末装置として、社内の別部署や取引先などの頻繁に送信を行う相手先をワンタッチダイヤル機能や短縮ダイヤル機能などを利用して、簡単に相手先への送信を行うことができる通信端末装置が提供されている。
【０００３】
前記のような通信端末装置においては、操作パネルやテンキーからワンタッチダイヤルキーや短縮ダイヤルを操作する際に、ユーザが送信しようとする相手先以外のワンタッチダイヤルキーに触れてしまい、または、誤った相手先の短縮ダイヤルを入力してしまい、発呼後に気付きキャンセルしても間に合わず、誤った相手先や複数の相手先へ送信が行われてしまうなどの問題があった。
【０００４】
前記のように誤送信が行われると、重要情報の漏洩や通信費の無駄、ファクシミリ装置であれば誤送信された相手先すなわち受信側では出力された用紙が無駄になるなどセキュリティ面及びコスト面での問題があった。
【０００５】
また、特開２００５−１４２６２２号公報（特許文献１）では、ユーザ毎にユーザＩＤとパスワードを設定し、各ユーザが過去に発信した発信履歴情報をユーザ毎に記憶し、ユーザが送信を行う際にユーザ名とパスワードを入力することにより、発信履歴情報を表示して送信相手先の指定を容易とするとともに、通信相手を他人や他部門あるいは他社に知られることなく、セキュリティを確保する通信装置が提案されている。
【０００６】
しかしながら、前記構成とすると、発信履歴情報を表示し、その中から送信先を選択する構成となるため、ある程度は誤送信の可能性を低減することができるが、ユーザが表示された中から意図しない相手先を選択して誤送信を行う可能性が少なからず残る。
また、ユーザ毎にユーザＩＤとパスワードを設定する必要があり、近年のように派遣スタッフや契約社員を多数配置し、スタッフの入れ替わりが頻繁にあるような部署や企業では、ユーザＩＤとパスワードの管理が煩雑となる問題がある。
【特許文献１】特開２００５−１４２６２２号公報
【発明の開示】
【発明が解決しようとする課題】
【０００７】
本発明は、前記問題を解決するために提案されたもので、その目的は、ユーザが短縮ダイヤル発呼を行う際に、簡易な構成により、誤送信を防止する通信端末装置を提供することにある。
【課題を解決するための手段】
【０００８】
前記目的を達成するために、請求項１に記載の通信端末装置は、短縮ダイヤル発呼機能を備えた通信端末装置において、短縮ダイヤルの登録時に、短縮ダイヤルと発呼先番号とともに、当該短縮ダイヤル毎のパスワードを登録させる短縮ダイヤル情報記憶手段と、相手先発呼のため、短縮ダイヤルの入力後、発呼指令がなされたときに、パスワードの入力を要求し、かつ入力されたパスワードが、その短縮ダイヤルに対応して登録したパスワードと一致したときのみ、短縮ダイヤルに対応させて前記短縮ダイヤル情報記憶手段に記憶されている発呼先番号を読出して、所定の発呼動作を行う一方、相手先発呼のため、短縮ダイヤルの入力以外のテンキーダイヤルの入力またはリダイヤルの入力がなされたときには、当該相手先への発呼動作を禁止する制御手段とを備えたことを特徴とする。
ここに、短縮ダイヤルはワンタッチダイヤルを含み、その場合、短縮ダイヤルの入力は、ワンタッチダイヤルキーを選択操作して行われる。
また、本発明の通信端末装置は、電話機、ファクシミリ装置、それらの複合機を含むものである。
【０００９】
請求項２では、発呼動作の前に発呼先番号を表示する表示部を更に備え、前記制御手段は、前記パスワードの入力を要求し、一致した場合には、前記表示部に、発呼すべき発呼先番号を表示してから、所定時間の間は、発呼指令を待ち、再度の発呼指令を受け付けたときに、発呼動作を行うようにしていることを特徴とする。
【発明の効果】
【００１１】
請求項１または２に記載の通信端末装置によれば、相手先発呼のため、短縮ダイヤルの入力後、発呼指令がなされたときに、パスワードの入力を要求し、かつ入力されたパスワードが、その短縮ダイヤルに対応して登録したパスワードと一致したときのみ、短縮ダイヤルに対応させて短縮ダイヤル情報記憶手段に記憶されている発呼先番号を読出して、発呼動作を行うので、誤送信を防止し、情報漏洩や通信費の無駄を防止することができる。
【００１２】
また、短縮ダイヤル毎にパスワードを設定するため、ユーザ毎にユーザＩＤやパスワードを設定する必要がなく、管理等が煩雑にならず、簡易な構成により誤送信を防止することが可能となる。
例えば、特定の部署や特定の取引先に対して営業報告や在庫情報などを、多数の派遣社員などに、定期的にファクシミリ送信させる際に、必要な発呼先の短縮ダイヤルのパスワードのみを伝えることにより、誤送信による情報の漏洩を防止することができる。
また、テンキーダイヤル入力、リダイヤル入力による発呼動作を禁止することにより、短縮ダイヤル発呼以外の発呼動作が禁止されるので、より確実に誤送信を防止し、セキュリティを確保することができる。
また、短縮ダイヤル発呼以外の発呼動作が禁止されるので、社員や部外者などによる私的利用を禁止することができるため、コスト面及びセキュリティ面において優れた通信端末装置となる。
【００１３】
請求項２では、パスワードの入力を要求し、一致した場合には、表示部に発呼すべき発呼先番号を表示してから、所定時間の間は、発呼指令を待ち、再度の発呼指令を受け付けたときに、発呼動作を行うので、パスワードが一致しても直ぐに送信を開始することなく、ユーザに再度、発呼先番号を確認させて、より確実に誤送信を防止し、セキュリティを確保することができる。
【発明を実施するための最良の形態】
【００１５】
以下に、本発明の実施の形態について、図面を参照しながら説明する。
【実施例１】
【００１６】
図１は、ファクシミリ装置に適用した本発明に係る通信端末装置の要部構成の一例を示すブロック図である。
【００１７】
ファクシミリ装置Ｆは、制御手段を構成するＣＰＵ１０と、通信回線Ｌへのネットワーク制御を行うＮＣＵ１１と、ファクシミリ通信に必要な各種信号を変調・復調するモデム１２と、制御プログラムなどを記憶するＲＯＭ１３と、後述する短縮ダイヤル登録テーブル３０や可変データ、設定データなどを記憶するＲＡＭ１４と、原稿を読み取り画像データを生成するスキャナ１５と、画像データを記憶する画像メモリ１６と、液晶画面などで構成される表示部１７と、発呼指令をするためのスタートキーや短縮ダイヤル３０ａの入力などのための各種操作キーから構成される操作部１８と、画像データを符号化・復号化するコーデック１９と、画像データを記録紙に出力するプリンタ２０と、ダイヤルトーン、ダイヤルパルスを出力して発呼動作をなすダイヤル発呼手段２１とを備えている。
【００１８】
前記のような構成により、ファクシミリ装置Ｆは、ファクシミリ送信とファクシミリ受信を行う基本機能を備えている。すなわち、ファクシミリ送信では、スキャナ１５で読み取った原稿画像を順次符号化し、画像データとして画像メモリ１６に記憶した後に、相手側を発呼し、相手側が着信すると、モデム１２、ＮＣＵ１１を介して、所定の通信プロトコルに従って相手先のファクシミリ装置（不図示）と通信した後に、画像メモリ１６に記憶した画像データを読み出して送信し、ファクシミリ受信では、相手側からの発呼に着信した後は、所定の通信プロトコルに従って相手側と通信を行って、画像データを受信し、受信した画像データを画像メモリ１６に一旦記憶し、順次読み出し復号化して、プリンタ２０により記録紙に印字出力する。
【００１９】
また、本発明では、操作部１８と短縮ダイヤル登録テーブル３０から構成される短縮ダイヤル情報記憶手段を備え、短縮ダイヤル登録テーブル３０は図２に示すように、短縮ダイヤル３０ａと発呼先番号３０ｂとパスワード３０ｃから構成される。
短縮ダイヤル情報記憶手段は、操作部１８から短縮ダイヤル３０ａの登録時に、発呼先番号３０ｂとともに、パスワード３０ｃを登録させて、短縮ダイヤル登録テーブル３０を順次更新して、制御手段を構成するＣＰＵ１０の制御により、発呼先番号３０ｂがＲＡＭ１４から読み出し可能となる。
【００２０】
ここで、短縮ダイヤル３０ａは、発呼先番号３０ｂよりも短い番号、例えば、一桁や二桁などのキー操作で発呼先の選択が可能な短縮ダイヤル、及び、ワンタッチダイヤルキーなどの所定のキー操作で発呼先の選択が可能なワンタッチダイヤルを含んでいる。
また、発呼先番号３０ｂの登録時に企業名や部署名、担当者名などの情報も登録する構成としてもよい。
さらに、短縮ダイヤル登録時に、特定の管理者のみが短縮ダイヤルを登録できるようにユーザＩＤやパスワードなどによる認証手段（不図示）を更に備える構成としてもよい。これにより、特定の者以外の者が短縮ダイヤルを登録することを防止することができる。
【００２１】
尚、本実施例では、本発明の通信端末装置としてファクシミリ装置Ｆへの適用例を示しているが、これに限られず、短縮ダイヤル、ワンタッチダイヤルキーを入力した後に、発呼動作をなす電話機や、スキャナ１５で読み取った画像データをプリンタ２０により記録紙に印字出力するスキャナ機能や、ネットワーク接続されたパソコン（不図示）等から入力した画像データを記録紙に出力するプリンタ機能、複写機能を有した複合機にも適用可能である。
【００２２】
次に本発明をファクシミリ装置Ｆに適用した場合の制御動作の一例を、図３に示すフローチャートに基づいて説明する。
【００２３】
まず、短縮キーを選択し、短縮番号を入力するなどして、短縮ダイヤル３０ａが入力された後、スタートキーの押下（発呼指令）がされると、パスワード３０ｃの入力を要求する（ステップ１００〜１０２）。
ここで、パスワード３０ｃの入力要求は、表示部１７に表示される構成、あるいは音声メッセージなどで通知する構成としてもよい。
一方、短縮ダイヤル３０ａの入力後、所定時間内にスタートキーの押下がされない場合は、発呼動作を行わず終了する（ステップ１００、１０１、１０７）。
【００２４】
次に、パスワード３０ｃが入力されると、そのパスワード３０ｃが短縮ダイヤル３０ａに対応して登録したパスワード３０ｃと一致しているかを判別し、一致したときのみ、短縮ダイヤル３０ａに対応させて短縮ダイヤル登録テーブル３０に記憶されている発呼先番号３０ｂを読み出し、ダイヤル発呼手段２１を作動してダイヤル発呼を行い、ファクシミリ送信を開始する（ステップ１０３〜１０６）。
【００２５】
一方、パスワード３０ｃの入力要求後、所定時間内にパスワード３０ｃの入力がされない場合、及び入力されたパスワード３０ｃが短縮ダイヤル３０ａに対応して登録したパスワード３０ｃと一致していないと判別した場合は、発呼動作を行わず終了する（ステップ１０３、１０４、１０８）。
【００２６】
前述のような構成及び制御動作によれば、誤送信を防止し、情報漏洩や通信費の無駄を防止することができる。
また、短縮ダイヤル３０ａ毎にパスワード３０ｃを設定するため、ユーザ毎にユーザＩＤやパスワードを設定する必要がなく、管理等が煩雑にならず、簡易な構成により誤送信を防止することが可能となり、例えば、特定の部署や特定の取引先に対して営業報告や在庫情報などを、多数の派遣社員などに、定期的にファクシミリ送信させる際に、必要な発呼先の短縮ダイヤル３０ａのパスワード３０ｃのみを伝えることにより、誤送信による情報の漏洩を防止することができる。
【実施例２】
【００２７】
図４は、本発明をファクシミリ装置Ｆに適用した場合の制御動作の他の一例を示すフローチャートである。
【００２８】
実施例１との相違点は、発呼動作の前に発呼先番号３０ｂを表示する表示部１７を備え、制御手段を構成するＣＰＵ１０は、テンキーダイヤル入力、リダイヤル入力による発呼動作を禁止する構成としている。
【００２９】
まず、短縮キーを選択し、短縮番号を入力するなどして、短縮ダイヤル３０ａが入力され、スタートキーの押下（発呼指令）がされると、パスワード３０ｃの入力を要求し、短縮ダイヤル３０ａの入力後、所定時間内にスタートキーの押下がされない場合は、発呼動作を行わず終了する（ステップ２００〜２０２、２１２）。
一方、短縮ダイヤル３０ａの入力以外のテンキーダイヤルあるいはリダイヤルが入力されると、エラーメッセージを出力し、発呼動作を行わず終了する（ステップ２００、２１０、２１１）。
【００３０】
ここで、テンキーダイヤルあるいはリダイヤル入力は、短縮コード、ワンタッチダイヤルキーの操作の後、テンキーを操作した後、スタートキーを操作することによって判別されている。
また、エラーメッセージの出力は、表示部１７に表示される構成、あるいは音声メッセージなどで通知する構成としてもよい。
尚、テンキーダイヤル入力、リダイヤル入力による発呼動作の禁止（ステップ２１０、２１１）は、通信端末装置に所定のモードを設けておき、それを選択したときに実行されるような構成としてもよい。
これにより、適宜、管理者などがテンキーダイヤル入力、リダイヤル入力による発呼動作の禁止を設定することが可能となる。
【００３１】
次に、パスワード３０ｃが入力されると、そのパスワード３０ｃが短縮ダイヤル３０ａに対応して登録したパスワード３０ｃと一致しているかを判別し、一致した場合には、表示部１７に発呼すべき発呼先番号３０ｂを所定時間、表示し、更に所定時間内にスタートキーの押下（再度の発呼指令）がされると、短縮ダイヤル３０ａに対応させて短縮ダイヤル登録テーブル３０に記憶されている発呼先番号３０ｂを読み出し、ダイヤル発呼手段２１を作動してダイヤル発呼を行い、ファクシミリ送信を開始する（ステップ２０３〜２０９）。
【００３２】
一方、パスワード３０ｃの入力要求後、所定時間内にパスワード３０ｃの入力がされない場合、入力されたパスワード３０ｃが短縮ダイヤル３０ａに対応して登録したパスワード３０ｃと一致していないと判別した場合、及び発呼先番号３０ｂが表示され、所定時間内にスタートキーの押下がされない場合は、発呼動作を行わず終了する（ステップ２０３〜２０６、２１３）。
【００３３】
前記のような構成及び制御動作によれば、パスワード３０ｃが一致しても直ぐに送信を開始することなく、ユーザに再度、発呼先番号３０ｂを確認させて、より確実に誤送信を防止し、セキュリティを確保することができる。
尚、発呼先番号３０ｂには企業名や部署名、担当者名などの情報を含む構成としてもよい。これにより、より確実にユーザは、発呼すべき発呼先番号３０ｂの情報を認識することができ、誤送信の防止が可能となる。
【００３４】
また、テンキーダイヤル入力、リダイヤル入力による発呼動作を禁止することにより、短縮ダイヤル発呼以外の発呼動作が禁止されるので、より確実に誤送信を防止し、セキュリティを確保することができる。
さらに、短縮ダイヤル発呼以外の発呼動作が禁止されるので、社員や部外者などによる私的利用を禁止することができるため、コスト面及びセキュリティ面において優れた通信端末装置となる。
尚、他の構成は実施例１と同様であるため説明を省略する。
【図面の簡単な説明】
【００３５】
【図１】ファクシミリ装置に適用した本発明に係る通信端末装置の要部構成の一例を示すブロック図である。
【図２】短縮ダイヤル登録テーブルの一例を示す図である。
【図３】実施例１における通信端末装置の基本動作を示すフローチャートである。
【図４】実施例２における通信端末装置の基本動作を示すフローチャートである。
【符号の説明】
【００３６】
１０      ＣＰＵ
１１      ＮＣＵ
１２      モデム
１３      ＲＯＭ
１４      ＲＡＭ
１５      スキャナ
１６      画像メモリ
１７      表示部
１８      操作部
１９      コーデック
２０      プリンタ
２１      ダイヤル発呼手段
３０      短縮ダイヤル登録テーブル
３０ａ      短縮ダイヤル
３０ｂ      発呼先番号
３０ｃ      パスワード
Ｆ      ファクシミリ装置
Ｌ      通信回線
【図１】
0004752553.tif 000002
【図２】
0004752553.tif 000003
【図３】
0004752553.tif 000004
【図４】
0004752553.tif 000005